(57)【要約】【課題】  清掃性が良く且つ着脱容易で、製品施工時等に便座、便蓋をもって製品を運搬しようとしたときは、便座及び便蓋とケーシングとが分離し、ケーシングが落下防止できる便座及び／又は便蓋の取付け構造の提供を目的とする。【解決手段】  便座及び／又は便蓋の基端部に、該基端部を回動中心として前記便座を回動自在に支持するヒンジブロックを連接し、前記ヒンジブロックを、便器に固定された便座装置のケーシングの表面側に着脱自在に連結した便座及び／又は便蓋の取付け構造において、前記ケーシングの前面側に突設して設けた突部２ａと、該突部２ａに挿入固定するためのヒンジブロックに設けた凹部とからなる便座び／又は便蓋の取付け構造。【選択図】  図６
2005161097.tif 000002
【特許請求の範囲】
【請求項１】
便座及び／又は便蓋の基端部に、該基端部を回動中心として前記便座を回動自在に支持するヒンジブロックを連接し、前記ヒンジブロックを、便器に固定された便座装置のケーシングの表面側に着脱自在に連結した便座及び／又は便蓋の取付け構造において、前記ケーシングの前面側に突設して設けた突部と、該突部に挿入固定するためのヒンジブロックに設けた凹部とからなる便座及び／又は便蓋の取付け構造。
【請求項２】
前記ヒンジブロックは、便座及び／又は便蓋を回動自在に支持するための回動ブロックと、前記凹部を設けたサポートブロックとから構成し、前記回動ブロックは回動自在なヒンジ胴部と、前記サポートブロックに固定支持されるヒンジ軸とからなることを特徴とする請求項１記載の便座及び／又は便蓋の取付け構造。
【請求項３】
前記凹部と前記突部との係合をロックするロック機構を設けたことを特徴とする請求項１若しくは請求項２記載の便座及び／又は便蓋の取付け構造。
【請求項４】
前記サポートブロックにはヒンジ軸を固定支持するための支持孔を設け、前記ヒンジ軸が支持孔から抜けるのを防止する防止機構を設けたことを特徴とする請求項２記載の便座及び／又は便蓋の取付け構造。
【請求項５】
便座及び／又は便蓋の基端部に、該基端部を回動中心として前記便座及び／又は便蓋を回動自在に支持するヒンジブロックを連接し、前記ヒンジブロックを、便器に固定された便座装置のケーシングの表面側に着脱自在に連結した便座及び／又は便蓋の取付け構造において、前記ケーシングの前面側に突設して設けた突部と、該突部に挿入固定するためのヒンジブロックに設けた凹部とを備え、前記便座の回動中心と前記便蓋の回動中心とを同軸上に配置したことを特徴とする便座及び／又は便蓋の取付け構造。
【発明の詳細な説明】
【技術分野】
【０００１】
本発明は、ケーシングの中に電装品を備えた便座装置に係り、特にそのケーシングに連結する便座及び便蓋を簡単に着脱できるようにした構造に関する。
【背景技術】
【０００２】
腰掛式の水洗便器は、通常便座単体を直接便器に備えるものと、『多機能便座』と呼ばれ局部洗浄機能、脱臭機能及び局部乾燥機能をケーシング内に備えて、このケーシングを便器に据え付けて使用するものとがある。後者は、局部洗浄用のノズル装置、洗浄水の加熱供給系、脱臭装置、局部乾燥装置及びその制御部をケーシングの中に備え、このケーシングを便器本体に固定する方式であり、ケーシングに便座と便蓋とを取付けた構造を持つ。
【０００３】
これらの便座や便蓋は、夫々の基端の左右両端部に取付け座を突き出してこれらに孔を開け、この孔にヒンジ軸を通してケーシングに枢着することによって連結する構造が一般に採用されている。
【０００４】
このようなヒンジ軸による便座及び便蓋のケーシングへの連結のため、便座と便蓋の取付け座を重ね合わせる配置とし、ケーシングは左右のこれらの取付け座を挟み込むような形状を持つ。そして、ヒンジ軸を差し込んだ後には、これが簡単に抜けないように弾性係合やかしめ等によって便座又は便蓋の取付け座に組み込まれる。
【０００５】
便座や便蓋は、それぞれ人が座ったり、また埃に曝されたりする部材であるため汚れやすく、水はね等が便座に付着することが多い。このため、便座や便蓋を拭き掃除する場合には、ケーシングに連結されたままでは作業がしづらく、便座や便蓋を取り外すことが必要となる。
【０００６】
ところが、ヒンジ軸を取付け座に通してこれをケーシングに連結する構造では、ヒンジ軸を抜き取る作業の際にドライバ等の工具を必要とする。このため、一般の主婦等では工具の取り扱いが不慣れなため、折角掃除をしようと思っても、ヒンジ軸を抜くことができずにそのまま終わってしまうことが多い。
【０００７】
また、ヒンジ軸を無理に抜いてしまうと、弾性係合又はカシメ等のための部材や表面形状を損なう可能性も高い。このため、再び便座と便蓋とをケーシングに連結しようとしても、ヒンジ軸はその機能を失い、便座や便蓋野開閉動作のときにガタ等を生じてしまう結果となる。
【０００８】
このように、従来のヒンジ軸を用いた便座と便蓋のケーシングへの連結構造では、便座及び便蓋を簡単にケーシングから取り外したり連結したりすることができず、これらの部材の掃除が不十分になりやすいという問題がある。
【０００９】
このような課題を解決したものとして、特許文献１に開示されるものがある。
【００１０】
この提案の概要は、図１１に示されるように、便座１０３及び便蓋１０４の夫々のヒンジ軸１０３ｂ、１０４ｂは、リテーナブロック１０５の支持孔１０５ａ、１０５ｂに互いに回転自在に一体化され、この一体化したものをヒンジチャンバ１０２ａの中に落とし込むことによってケーシング１０２に連結される。なお、リテーナブロック１０５は装着溝１０２ｂの中に差し込まれ、その下端が装着溝１０２ｂの底部に当たって停止したときに、ロックピース１０５ｄの突起が係合溝１０２ｃの中に嵌まり込むような寸法関係を持たせる。以上の構成において、ケーシング１０２への便座１０３及び便蓋１０４の組み込みは次の要領で行う。
【００１１】
前記のように、便座１０３及び便蓋１０４のそれぞれのヒンジ軸１０３ｂ、１０４ｂを支持孔１０５ａ、１０５ｂに差し込んで、ヒンジブロック１０３ａ、１０４ａの両端に夫々リテーナブロック１０５を一体とする。
【００１２】
次いで、リテーナブロック１０５をヒンジチャンバ１０２ａの装着溝１０２ｂの中に落とし込めば、リテーナブロック１０５の下端が装着溝１０２ｂの底面に着座して停止する。そして、これと同時に、装着溝１０２ｂの内壁に突起が当たってヒンジチャンバ１０２ａの中心側に曲がっていたロックピース１０５ｄは、突起が係合溝１０２ｃの中に嵌まり込むことにより、図１のように元の形状に復元する。したがって、係合溝１０２ｃの中に突起が拘束され、リテーナブロック１０５はその上下方向の位置を決められて固定される。
【００１３】
このような組み込みにより、リテーナブロック１０５は装着溝１０２ｂの楔状の開口断面形状によって、間口方向を拘束され、ロックピース１０５ｄと係合溝１０２ｃとによって上下方向も拘束される。このため、便座１０３及び便蓋１０４にリテーナブロック１０５を一体としたものをヒンジチャンバ１０２ａの中に落とし込むだけで、便座１０３と便蓋１０４とを正しい位置に設定してケーシング１０２に連結することができる。
【００１４】
一方、便座１０３と便蓋１０４をケーシング１０２から取り外すときには、これらを一体に上に引き上げる。これにより、半球体面状のロックピース１０５ｄの突起は係合溝１０２ｃから強制的に引き出され、突起が装着溝１０２ｂの内壁に載り上がる。このため、ロックピース１０５ｄによる拘束がなくなり、このロックピース１０５でヒンジチャンバ１０２ａの中心側に少し曲がるように弾性変形する。したがって、便座１０３と便蓋１０４とをさらに引き上げると、リテーナブロック１０５は装着溝１０２ｂの中を上に移動し、最終的にこれを取り外すことができる。
【００１５】
このように、便座１０３と便蓋１０４とは、これらを一体にしてケーシング１０２との連結部分を手で引き上げるだけで、簡単にケーシング１０２から取り外すことができる。したがって、便座１０３、便蓋１０４及びケーシング１０２を拭き掃除する場合でも、これらを簡単に分解でき、隅々まで簡単に掃除することができ、常に清潔さを保つことができる。
【００１６】
【特許文献１】特開平５−２８５０６８号公報
【発明の開示】
【発明が解決しようとする課題】
【００１７】
しかし、特許文献１に記載の構造では、ヒンジチャンバ１０２ａ部分が凹部として形成されているため、この部分に小便はね等による汚水が付着しやすい。また、ヒンジチャンバ１０２ａ内に便座１０３及び便蓋１０４にリテーナブロック１０５を一体としたものを嵌め込むだけなので、着脱は容易なのであるが、製品施工時等に便座、便蓋をもって製品を運搬しようとしたときには、便座１０３及び便蓋１０４とケーシング１０２とが分離し、ケーシング１０２が落下して、破損させる可能性があった。
【００１８】
さらに、清掃の際、リテーナブロック１０５を便座１０３及び便蓋１０４から取り外さなくてはならず、また、組立の際には逆に組み立て直さなければならず、手間であった。
【課題を解決するための手段】
【００１９】
以上の課題を解決するために、本発明は、便座及び／又は便蓋の基端部に、該基端部を回動中心として前記便座を回動自在に支持するヒンジブロックを連接し、前記ヒンジブロックを、便器に固定された便座装置のケーシングの表面側に着脱自在に連結した便座及び／又は便蓋の取付け構造において、前記ケーシングの前面側に突設して設けた突部と、該突部に挿入固定するためのヒンジブロックに設けた凹部とからなる便座及び／又は便蓋の取付け構造である。
【００２０】
本発明の便座及び／又は便蓋の取付け構造においては、前記ヒンジブロックは、便座及び／又は便蓋を回動自在に支持するための回動ブロックと、前記凹部を設けたサポートブロックとから構成し、前記回動ブロックは回動自在なヒンジ胴部と、前記サポートブロックに固定支持されるヒンジ軸とからなることを特徴とする。
【００２１】
また、本発明の便座及び／又は便蓋の取付け構造においては、前記凹部と前記突部との係合をロックするロック機構を設けたことを特徴とする。
【００２２】
また、本発明の便座及び／又は便蓋の取付け構造においては、前記サポートブロックにはヒンジ軸を固定支持するための支持孔を設け、前記ヒンジ軸が支持孔から抜けるのを防止する防止機構を設けたことを特徴とする。
【００２３】
また、本発明の便座及び／又は便蓋の取付け構造においては、便座及び／又は便蓋の基端部に、該基端部を回動中心として前記便座及び／又は便蓋を回動自在に支持するヒンジブロックを連接し、前記ヒンジブロックを、便器に固定された便座装置のケーシングの表面側に着脱自在に連結した便座及び／又は便蓋の取付け構造において、前記ケーシングの前面側に突設して設けた突部と、該突部に挿入固定するためのヒンジブロックに設けた凹部とを備え、前記便座の回動中心と前記便蓋の回動中心とを同軸上に配置したことを特徴とする。
【発明の効果】
【００２４】
本発明によると、便座及び／又は便蓋の基端部に、該基端部を回動中心として前記便座を回動自在に支持するヒンジブロックを連接し、前記ヒンジブロックを、便器に固定された便座装置のケーシングの表面側に着脱自在に連結した便座及び／又は便蓋の取付け構造において、前記ケーシングの前面側に突設して設けた突部と、該突部に挿入固定するためのヒンジブロックに設けた凹部とからなる便座及び／又は便蓋の取付け構造としたことにより、へこんだ部分がないので、小便はね等による汚水がへこんだ部分に進入し、清掃がしずらいということがない。
【００２５】
また、前記ヒンジブロックは、便座を回動自在に支持するための回動ブロックと、前記凹部を設けたサポートブロックとから構成し、前記回動ブロックは回動自在なヒンジ胴部と、前記サポートブロックに固定支持されるヒンジ軸とから構成した場合には、組立が楽であり、且つ各々に相応しい材質等を選定できる。
【００２６】
また、前記凹部と前記突部との係合をロックするロック機構を設けた場合には、製品施工時等に便座、便蓋をもって製品を運搬しようとしたときに、便座及び便蓋とケーシングとが分離し、ケーシングが落下して、破損させる恐れがない。
【００２７】
また、前記サポートブロックにはヒンジ軸を固定支持するための支持孔を設け、前記ヒンジ軸が支持孔から抜けるのを防止する防止機構を設けた場合には、便座、便蓋の開閉動作に対して不用意にヒンジ軸が外れることがない。
【００２８】
また、便座及び／又は便蓋の基端部に、該基端部を回動中心として前記便座及び／又は便蓋を回動自在に支持するヒンジブロックを連接し、前記ヒンジブロックを、便器に固定された便座装置のケーシングの表面側に着脱自在に連結した便座及び／又は便蓋の取付け構造において、前記ケーシングの前面側に突設して設けた突部と、該突部に挿入固定するためのヒンジブロックに設けた凹部とを備え、前記便座の回動中心と前記便蓋の回動中心とを同軸上に配置した場合には、接続軸が１軸となるため、凹凸が１箇所で済み、構造が簡素化され、更に清掃性も向上する。
【発明を実施するための最良の形態】
【００２９】
図１は本発明の便座及び便蓋の取付け構造を備えた便座装置の斜視図である。実施例では、便座装置として局部洗浄用の衛生洗浄装置１を例として説明する。
【００３０】
図において、便器本体（図示せず）の背部側のリムの上面を利用して衛生洗浄装置１のケーシング２を固定し、このケーシング２には便座３及び便蓋４を夫々開閉自在に取付けている。
【００３１】
衛生洗浄装置１は、その内部に洗浄水を加熱して供給する給水加熱系、使用時には便座３の下を潜って便器本体（図示せず）のボール部まで進出して洗浄水を噴射するノズル装置及び各機能部を制御するコントローラ等を組み込んだものであり、従来から利用されているものをそのまま代用できる。そして、機能部の操作は壁に設けたリモートコントローラ（図示せず）によって行うことができ、ケーシング２の側部には補助操作盤を備えている。
【００３２】
ケーシング２の前面側にヒンジブロック５を挿入するための突部２ａを形成し、便座３及び便蓋４には、夫々の基端部にヒンジブロック挿入部３ａ、４ａを設け、突部２ａとヒンジブロック挿入部３ａ、４ａとはヒンジブロック５を介して連接している。
【００３３】
図２は、ケーシング２に対する便座３及び便蓋４の連接構造を示す概略断面図である。ヒンジブロック５の底部には、ケーシング２に設けた突部２ａに対応して凹部５ａを設ける。ヒンジブロック５の側部には、便座３及び便蓋４の基端部に夫々設けたヒンジブロック挿入部３ａ、４ａを回動自在に軸支するための円形断面のヒンジ胴部５ｂを外向きに突き出して設ける。なお、このヒンジ胴部５ｂ及びその周囲は便座３及び便蓋４の上面によって隠れるような構造とする。
【００３４】
便座３及び便蓋４をケーシング２に連接するためのヒンジブロック５は、ケーシングに設けた突部２ａに凹部５ａが嵌まり込んで固定される。
【００３５】
図３は、図２に示した連接構造の変形例である。図において、ヒンジブロック５は、サポートブロック５Ａと回動ブロック５Ｂとで構成され、ブロック５Ｂは、便座３及び便蓋４が閉じるときに抵抗を与えて緩やかに動作するように開閉ユニット（図示せず）を内蔵するヒンジ胴部５ｂと、ヒンジ軸５ｄとから構成され、ヒンジ軸５ｄに対しヒンジ胴部５ｂは回動自在とされている。ブロック５Ａには、ヒンジ軸５ｄを挿入してこれらを固定支持するための支持孔５ｃを設ける。
【００３６】
図４は、図３に示した連接構造の変形例である。図において、ヒンジ軸には係合溝５ｅを設け、その係合溝５ｅに嵌まり込む突起５ｆをブロック５Ａの内側壁から突出して設ける。この係合により、ヒンジ軸５ｄが支持孔５ｃから容易に抜けるのを防止する。
【００３７】
図３及び図４に示した連接構造では、便座３の基端部に設けたヒンジブロック挿入部３ａの一方をヒンジ胴部５ｂと一体に回動するように固定し、他方のヒンジブロック挿入部３ａをヒンジ胴部５ｂに対し回動自在に軸支させる。なお、便蓋４の基端部に設けたヒンジブロック挿入部４ａは、固定したヒンジブロック挿入部３ａとは逆側のヒンジ挿入部４ａをヒンジ胴部５ｂと一体に回動するように固定し、他方のヒンジ胴部５ｂをヒンジ軸５ｄに対し回動自在に軸支させる。
【００３８】
図５は、図３に示した連接構造を用いた便座装置の組立手順を示す平面図である。（ａ）は、便座３、サポートブロック５Ａ、回動ブロック５Ｂを分解した状態を示す。この状態から（ｂ）では、便座３の外側から回動ブロック５Ｂをヒンジブロック挿入部３ａを貫通させ、ヒンジ軸５ｄを内側に突出させた状態に移行する。この状態から（ｃ）では、貫通方向とは逆方向からサポートブロック５Ａの支持孔５ｃ内に、ヒンジ軸５ｄを挿通し、サポートブロック５Ａと回動ブロック５Ｂを一体化する。この状態から（ｄ）では、一体化したヒンジブロック５を、ヒンジ胴部５ｂがヒンジブロック挿入部３ａ内に完全に挿入される状態まで内側に引込み、その状態で、便蓋４のヒンジブロック挿入部４ａが便座のヒンジブロック挿入部３ａと同軸となるように配置する。なお、（ｄ）の作業時に、ヒンジブロック５を内側に引込み過ぎて、便座３との係合がはずれないよう、便座３の基端部中央にはストッパ３ｂ（膨出部位）を設けている。なお、便座との係合がはずれないようにするためには、ヒンジブロック挿入部３ａとストッパ３ｂとの間隔よりもヒンジブロック５を長く形成する必要がある。この状態から（ｅ）では、内側に引き込んでおいたヒンジブロックを、再度外側に押し込み、ヒンジ胴部５ｂをヒンジブロック挿入部４ａ内に挿入する。この一連の作業により、便座３、便蓋４、サポートブロック５Ａ、回動ブロック５Ｂを一体化することができる。この後、サポートブロック５Ａに設けた凹部５ａをケーシング２の突部２ａに挿入固定し、便座装置として使用することができるようになる。なお、分解する際は、逆の手順で行う。
【００３９】
図６は、サポートブロック５Ａとケーシング２との連接構造を示す斜視図である。図において、サポートブロック５Ａには、樹脂等から形成されるカバー５ｇが設けられ、支持孔５ｃと同心円形状に若干突出して設けた支持ガイド５ｉに、カバー５ｇに設けた支持ガイド５ｉと略同一形状の回動孔５ｈを回動自在に軸支することにより、サポートブロック５Ａとカバー５ｇは一体化される。カバー５ｇの裾部内側にはロック爪５ｊが設けられ、両側には把手部５ｋが一体に設けられている。ケーシング２に設けた突部２ａの前壁には、ロック爪５ｊが係合する係止溝２ｂが設けられる。なお、カバー５ｇの側壁基端部内側には第２ロック爪５ｍが設けられ、サポートブロック５Ａ側壁には、第２ロック爪５ｍが弾性係合する第２係止溝５ｎが設けられる。
【００４０】
図８は、図６のＸ−Ｘ’断面図である。第２ロック爪５ｍを第２係止溝５ｎに案内するために、溝５ｐがサポートブロック５Ａ側壁に設けられた支持孔５ｃと同心円弧上に第２係止溝５ｎよりも浅く形成される。また、第２ロック爪５ｍと第２係止溝５ｎとのロックが確実となるよう第２係止溝５ｎと溝５ｐとの間に盛り上がり部５ｑを設けている。このように、第２ロック爪５ｍと第２係止溝５ｎとを弾性係合として補助ロック機構を形成しているので、ロック爪５ｊと係止溝２ｂとは弾性係合ではなく、単なる係合とすることができるので、ロック力の調整およびロック爪５ｊの耐久性の確保等が容易である。また、これにより設計の自由度が広がる。
【００４１】
図７は、図６におけるサポートブロック５Ａとケーシング２との連接状態を示す断面図である。図より明らかなように、連接状態では、ロック爪５ｊが係止溝２ｂに係合しているので、この状態では、サポートブロック５Ａとケーシング２の係合は外れない。この際、上記カバー５ｇの第２ロック爪５ｍとサポートブロック５Ａの第２係止溝５ｎとにより、回動方向も規制される。係合を外したい場合は、把手部５ｋに指をかけて、第２ロック爪５ｍと第２係止溝５ｎとの弾性係合を解除して、カバー５ｇを回動することにより、ロック爪５ｊと係止溝２ｂとの係合が解除され、便座３等を上方に持ち上げることでサポートブロック５Ａとケーシング２の係合を外すことができる。
【００４２】
図９は、サポートブロック５Ａとケーシング２との連接構造の別の実施例を示す斜視図である。図において、サポートブロック５Ａには、樹脂などから形成されるカバー５ｇが設けられ、サポートブロック５Ａの両側に設けられた支持ガイド５ｉにより上下にスライド自在に支持される。サポートブロック５Ａの前面にはコの字状の切り欠き５ｒが設けられ、切り欠き５ｒに囲まれた弾性片５ｌの下方にはロック孔５ｊ’が設けられている。ケーシング２の突部２ａには、ロック孔５ｊ’に係合する係止突起２ｂ’が設けられる。図１０は、図９におけるサポートブロック５Ａとケーシング２との連接状態を示す断面図である。図より明らかなように、連接状態では、ロック孔５ｊ’内に係止突起２ｂ’が係止され、さらにカバー５ｇにより、弾性片５ｌの弾性は抑えられている。従って、この状態では、サポートブロック５Ａとケーシング２の係合は外れない。係合を外したい場合には、カバー５ｇを支持ガイド５ｉに沿って上方にずらし、便座３等を上方に持ち上げることで、弾性片５ｌが外側にたわみ、係止突起２ｂ’とロック孔５ｊ’との係合が外れ、サポートブロック５Ａとケーシング２の係合を外すことができる。なお、ロック孔５ｊ’は係合を確実にするために設けたが、設けなくても、本発明を適用範囲である。
【産業上の利用可能性】
【００４３】
本発明は、清掃性が良く且つ着脱容易で、製品施工時等に便座、便蓋をもって製品を運搬しようとしたときは、便座及び便蓋とケーシングとが分離し、ケーシングが落下防止できる便座及び／又は便蓋として利用することができる。
【図面の簡単な説明】
【００４４】
【図１】本発明の便座及び便蓋の取付け構造を備えた便座装置の斜視図である。
【図２】ケーシング２に対する便座３及び便蓋４の連接構造を示す概略断面図である。
【図３】図２に示した連接構造の変形例である。
【図４】図３に示した連接構造の変形例である。
【図５】図３に示した連接構造を用いた便座装置の組立手順を示す平面図である。
【図６】サポートブロック５Ａとケーシング２との連接構造を示す斜視図である。
【図７】図６におけるサポートブロック５Ａとケーシング２との連接状態を示す断面図である。
【図８】図６におけるＸ−Ｘ’断面図である。
【図９】サポートブロック５Ａとケーシング２との連接構造の別の実施例を示す斜視図である。
【図１０】図９におけるサポートブロック５Ａとケーシング２との連接状態を示す断面図である。
【図１１】従来の便座及び便蓋の取付け構造を備えた便座装置の斜視図である。
【符号の説明】
【００４５】
１  衛生洗浄装置
２  ケーシング
２ａ  突部
２ｂ  係止溝
２ｂ’  係止突起
３  便座
３ａ  ヒンジブロック挿入部
３ｂ  ストッパ
４  便蓋
４ａ  ヒンジブロック挿入部
５  ヒンジブロック
５Ａ  サポートブロック
５Ｂ  回動ブロック
５ａ  凹部
５ｂ  ヒンジ胴部
５ｃ  支持孔
５ｄ  ヒンジ軸
５ｅ  係合溝
５ｆ  突起
５ｇ  カバー
５ｈ  回動孔
５ｉ  支持ガイド
５ｊ  ロック爪
５ｊ’  ロック孔
５ｋ  把手部
５ｌ  弾性片
５ｍ  第２ロック爪
５ｎ  第２係止溝
５ｐ  溝
５ｑ  盛り上がり部
５ｒ  切り欠き
【図１】
2005161097.tif 000003
【図２】
2005161097.tif 000004
【図３】
2005161097.tif 000005
【図４】
2005161097.tif 000006
【図５】
2005161097.tif 000007
【図６】
2005161097.tif 000008
【図７】
2005161097.tif 000009
【図８】
2005161097.tif 000010
【図９】
2005161097.tif 000011
【図１０】
2005161097.tif 000012
【図１１】
2005161097.tif 000013
【手続補正書】
【提出日】平成17年4月8日(2005.4.8)
【手続補正１】
【補正対象書類名】特許請求の範囲
【補正対象項目名】全文
【補正方法】変更
【補正の内容】
【特許請求の範囲】
【請求項１】
便座及び／又は便蓋の基端部に、該基端部を回動中心として前記便座を回動自在に支持するヒンジブロックを連接し、前記ヒンジブロックを、便器に固定された便座装置のケーシングの表面側に着脱自在に連結した便座及び／又は便蓋の取付け構造において、前記ケーシングの前面側を部分的に突設させて形成した突部と、該突部に挿入固定するためのヒンジブロックに設けた凹部とからなる便座及び／又は便蓋の取付け構造。
【請求項２】
前記ヒンジブロックは、便座及び／又は便蓋を回動自在に支持するための回動ブロックと、前記凹部を設けたサポートブロックとから構成し、前記回動ブロックは回動自在なヒンジ胴部と、前記サポートブロックに固定支持されるヒンジ軸とからなることを特徴とする請求項１記載の便座及び／又は便蓋の取付け構造。
【請求項３】
前記凹部と前記突部との係合をロックするロック機構を設けたことを特徴とする請求項１若しくは請求項２記載の便座及び／又は便蓋の取付け構造。
【請求項４】
前記サポートブロックにはヒンジ軸を固定支持するための支持孔を設け、前記ヒンジ軸が支持孔から抜けるのを防止する防止機構を設けたことを特徴とする請求項２記載の便座及び／又は便蓋の取付け構造。
【請求項５】
便座及び／又は便蓋の基端部に、該基端部を回動中心として前記便座及び／又は便蓋を回動自在に支持するヒンジブロックを連接し、前記ヒンジブロックを、便器に固定された便座装置のケーシングの表面側に着脱自在に連結した便座及び／又は便蓋の取付け構造において、前記ケーシングの前面側を部分的に突設させて形成した突部と、該突部に挿入固定するためのヒンジブロックに設けた凹部とを備え、前記便座の回動中心と前記便蓋の回動中心とを同軸上に配置したことを特徴とする便座及び／又は便蓋の取付け構造。
【手続補正２】
【補正対象書類名】明細書
【補正対象項目名】００１９
【補正方法】変更
【補正の内容】
【００１９】
以上の課題を解決するために、本発明は、便座及び／又は便蓋の基端部に、該基端部を回動中心として前記便座を回動自在に支持するヒンジブロックを連接し、前記ヒンジブロックを、便器に固定された便座装置のケーシングの表面側に着脱自在に連結した便座及び／又は便蓋の取付け構造において、前記ケーシングの前面側を部分的に突設させて形成した突部と、該突部に挿入固定するためのヒンジブロックに設けた凹部とからなる便座及び／又は便蓋の取付け構造である。
【手続補正３】
【補正対象書類名】明細書
【補正対象項目名】００２３
【補正方法】変更
【補正の内容】
【００２３】
また、本発明の便座及び／又は便蓋の取付け構造においては、便座及び／又は便蓋の基端部に、該基端部を回動中心として前記便座及び／又は便蓋を回動自在に支持するヒンジブロックを連接し、前記ヒンジブロックを、便器に固定された便座装置のケーシングの表面側に着脱自在に連結した便座及び／又は便蓋の取付け構造において、前記ケーシングの前面側を部分的に突設させて形成した突部と、該突部に挿入固定するためのヒンジブロックに設けた凹部とを備え、前記便座の回動中心と前記便蓋の回動中心とを同軸上に配置したことを特徴とする。
【手続補正４】
【補正対象書類名】明細書
【補正対象項目名】００２４
【補正方法】変更
【補正の内容】
【００２４】
本発明によると、便座及び／又は便蓋の基端部に、該基端部を回動中心として前記便座を回動自在に支持するヒンジブロックを連接し、前記ヒンジブロックを、便器に固定された便座装置のケーシングの表面側に着脱自在に連結した便座及び／又は便蓋の取付け構造において、前記ケーシングの前面側を部分的に突設させて形成した突部と、該突部に挿入固定するためのヒンジブロックに設けた凹部とからなる便座及び／又は便蓋の取付け構造としたことにより、へこんだ部分がないので、小便はね等による汚水がへこんだ部分に進入し、清掃がしずらいということがない。
【手続補正５】
【補正対象書類名】明細書
【補正対象項目名】００２８
【補正方法】変更
【補正の内容】
【００２８】
また、便座及び／又は便蓋の基端部に、該基端部を回動中心として前記便座及び／又は便蓋を回動自在に支持するヒンジブロックを連接し、前記ヒンジブロックを、便器に固定された便座装置のケーシングの表面側に着脱自在に連結した便座及び／又は便蓋の取付け構造において、前記ケーシングの前面側を部分的に突設させて形成した突部と、該突部に挿入固定するためのヒンジブロックに設けた凹部とを備え、前記便座の回動中心と前記便蓋の回動中心とを同軸上に配置した場合には、接続軸が１軸となるため、凹凸が１箇所で済み、構造が簡素化され、更に清掃性も向上する。